(57)【要約】【課題】外観部品が暗い色、ベース部品が明るい色であっても、外観部品同士の合わせ目でベース部品の地肌色が見えて本来の意匠を害するということを防止できる外観部品の合わせ目構造を提供すること。【解決手段】ベース部品１１の平坦な表面に複数の外観部品１２，１３を並べて配置し、外観部品１２，１３の合わせ目にはクリアランス（隙間）Ｃが設けられた構造において、内面が斜面２２で入射光を前記合わせ目の方向とは異なる方向に反射させる溝２１を前記外観部品１２，１３の合わせ目に対応してベース部品１１の平坦な表面に形成する。【選択図】      図１
2007182188.tif 000002
【特許請求の範囲】
【請求項１】
ベース部品の平坦な表面に複数の外観部品を並べて配置し、外観部品同士の合わせ目にはクリアランス（隙間）が設けられた構造において、
内面が斜面で入射光を前記合わせ目の方向とは異なる方向に反射させる溝を前記外観部品同士の合わせ目に対応して前記ベース部品の平坦な表面に形成したことを特徴とする外観部品の合わせ目構造。
【請求項２】
前記溝はＶ字形の溝で、一方の斜面が前記外観部品同士の合わせ目に対向し、溝底部は一方の外観部品の裏面に対向して位置することを特徴とする請求項１に記載の外観部品の合わせ目構造。
【請求項３】
前記Ｖ字形の溝は、一方が緩斜面、他方が急斜面の溝で、前記緩斜面が前記外観部品同士の合わせ目に対向することを特徴とする請求項２に記載の外観部品の合わせ目構造。
【請求項４】
入射光を反射させる前記溝の斜面の角度は、前記ベース部品の表面に対し３０°から６０°であることを特徴とする請求項１ないし３のいずれかに記載の外観部品の合わせ目構造。
【発明の詳細な説明】
【技術分野】
【０００１】
本発明は、外観部品の合わせ目構造に関するものである。
【背景技術】
【０００２】
カーオーディオ機器の操作パネル部の斜視図を図３に示す。また、従来構造での図３のIV-IV線断面図を図４に示す。これらの図において、１１はベース部品、１２および１３は、ベース部品１１の平坦な表面に並べて配置されたフロントグラスやドレスパネルなどの機器前面に露出する外観部品である。外観部品１３は、外観部品１２の両側に一対設けられている。
【０００３】
このように、カーオーディオ機器などにおいては、ベース部品１１の平坦な表面に外観部品１２，１３のような複数の外観部品を並べて配置している。このとき、外観部品の寸法誤差を吸収するため、外観部品同士の合わせ目（外観部品１２と外観部品１３の合わせ目）においては、０．３ｍｍ程度の充分なクリアランスＣ（隙間）を持たせている。
【特許文献１】実公平７−９０４８号公報
【発明の開示】
【発明が解決しようとする課題】
【０００４】
しかし、外観部品同士の合わせ目に充分なクリアランスＣを持たせた場合は、例えば外観部品１２と外観部品１３の合わせ目から見えるベース部品１１の地肌色の反射率が高いと、ベース部品１１の地肌色が合わせ目からよく見えてしまうという問題点があった。特に、外観部品１２と外観部品１３が黒等の暗い色、ベース部品１１がシルバ等の明るい色であった場合、合わせ目部分が明るくはっきり見えてしまい、本来の意匠を害していた。
【０００５】
特許文献１には、指示用計器のモール部構造において、モール部の見切り溝の内壁面を拡散面とし、ガラス板厚内を進行し溝から出光する照明光を拡散し、エッジ状の直光であったものを、帯状にすると共に、目に入る光量を減少させる技術が開示される。しかし、このような技術を上記の外観部品の合わせ目部分に応用しても、拡散により光の出射が弱まるからベース部品１１の地肌色の見え具合が多少弱まるが、特に外観部品１２，１３が暗い色、ベース部品１１が明るい色である場合は完全にベース部品１１の地肌色を見えなくすることはできず、上記の問題点の解消が不充分であった。
【０００６】
本発明は上記の点に鑑みなされたもので、外観部品が暗い色、ベース部品が明るい色であっても、外観部品同士の合わせ目でベース部品の地肌色が見えて本来の意匠を害するということを防止できる外観部品の合わせ目構造を提供することを目的とする。
【課題を解決するための手段】
【０００７】
本発明の外観部品の合わせ目構造は、ベース部品の平坦な表面に複数の外観部品を並べて配置し、外観部品同士の合わせ目にはクリアランス（隙間）が設けられた構造において、内面が斜面で入射光を前記合わせ目の方向とは異なる方向に反射させる溝を前記外観部品同士の合わせ目に対応して前記ベース部品の平坦な表面に形成したことを特徴とするものである。
【０００８】
前記溝はＶ字形の溝で、一方の斜面が前記外観部品同士の合わせ目に対向し、溝底部は一方の外観部品の裏面に対向して位置することが好ましい。さらに、前記Ｖ字形の溝は、一方が緩斜面、他方が急斜面の溝で、前記緩斜面が前記外観部品同士の合わせ目に対向することが好ましい。さらに、入射光を反射させる前記溝の斜面の角度は、前記ベース部品の表面に対し３０°から６０°であることが好ましい。
【発明の効果】
【０００９】
本発明によれば、内面が斜面で入射光を合わせ目の方向とは異なる方向に反射させる溝を外観部品同士の合わせ目に対応してベース部品の平坦な表面に形成するようにしたので、合わせ目から入射した光が合わせ目方向には出射しなくなり、したがって、特に外観部品が暗い色、ベース部品が明るい色であっても、ベース部品の地肌色が合わせ目からはっきり見えず影となり、本来の意匠を害することがなくなる。
【発明を実施するための最良の形態】
【００１０】
次に添付図面を参照して本発明による外観部品の合わせ目構造の実施の形態を詳細に説明する。図１は本発明の一実施の形態を示す断面図で、図3のIV-IV線断面図に相当する図である。したがって、図３の各部と同一部分については以後同一符号を使用することとする。図１において、１１は表面が平坦なベース部品であり、このベース部品１１の平坦な表面に外観部品１２と外観部品１３とが並んで配置される。このとき、外観部品１２と外観部品１３の合わせ目には、０．３ｍｍ程度のクリアランス（隙間）Ｃが設けられる。また、外観部品１２，１３は厚さが２ｍｍ程度のフロントグラスやドレスパネルで、例えば両面テープで接着してベース部品１１に取付けられるが、取付け手段はこれに限定されない。
【００１１】
ベース部品１１の表面には、外観部品１２と外観部品１３の合わせ目（クリアランスＣ）に対応して溝２１が形成される。この溝２１の拡大図を図２に示す。この溝２１は、幅が０．５ｍｍ程度で、上記クリアランスＣ（０．３ｍｍ程度）より若干幅広に形成される。また、この溝２１はＶ字形の溝で、しかも、一方の斜面２２がベース部品１１の表面に対しθ１＝３０°の緩斜面、他方の斜面２３がベース部品１１の表面に対しθ２＝８０°の急斜面、深さが０．１〜０．２ｍｍのＶ字形の溝であり、一方の斜面２２が上記外観部品１２，１３の合わせ目（クリアランスＣ）に対向するように形成される。また、一方の斜面２２と他方の斜面２３が交差する溝底部２４が一方側の外観部品１３の裏面に対向するように位置する。
【００１２】
このような溝２１をベース部品１１の表面に形成しておくと、外観部品１２と外観部品１３の合わせ目（クリアランスＣ）から入射した光は溝２１の一方の斜面２２に反射して合わせ目の方向とは異なる方向すなわち横方向（この例では外観部品１３側の斜め上の横方向であるが、斜面２２の角度によっては真横または斜め下の横方向となり、そのようでもよい）に反射されるようになり、外観部品１２と１３の合わせ目方向には出射しなくなる。また、斜面を形成しても、一方の斜面２２と他方の斜面２３が交差する溝底部２４が外観部品１２と１３の合わせ目に対向していると、溝底部２４から反射した光が上記合わせ目に出射することになるが、上記の溝２１では、溝底部２４が一方側の外観部品１３の裏面に対向するように位置しているので、この溝底部２４からの反射光も外観部品１２と１３の合わせ目に出射しなくなる。したがって、上記の溝２１をベース部品１１の表面に形成しておくと、ベース部品１１の表面で反射した光が外観部品１２と１３の合わせ目方向に出射することがなくなるから、ベース部品１１の地肌色がはっきり見えず影となりベース部品１１が気にならなくなり、特に外観部品１２と外観部品１３が黒等の暗い色、ベース部品１１がシルバ等の明るい色であった場合でも合わせ目が影となり、本来の意匠を害することがなくなる。また、上記の溝２１は、一方側の斜面２２が緩斜面、他方側の斜面２３が急斜面のＶ字形状としたから、一方側の斜面２２を外観部品１２と１３の合わせ目に対向させること、および、溝底部２４を一方側の外観部品１３の底面に対向させることを満足して溝幅を０．５ｍｍ程度と狭めることができ、溝幅が広がることによる弊害を無くすことができる。
【００１３】
なお、一方側の斜面２２の角度はクリアランスＣの幅などとの関係で３０°に限定されないが、光の反射角度およびベース部品１１の肉厚から判断して、ベース部品１１の表面に対し３０°〜６０°程度に設定することが好ましい。さらに、ベース部品１１の斜面形成部の厚さを充分にとれる場合は、より急峻な角度で斜面を形成してもよい。また、他方側の斜面２３の角度は溝幅の広がりおよび金型の抜き勾配から判断して、ベース部品１１の表面に対し７０°〜８０°程度に設定することが好ましい。さらに、本発明の外観部品の合わせ目構造は、カーオディオ機器の操作パネル部に限定されず、各種の機器の同様部分に応用することができる。
【図面の簡単な説明】
【００１４】
【図１】本発明による外観部品の合わせ目構造の一実施の形態を示す断面図。
【図２】図１の溝部分の拡大図。
【図３】カーオーディオ機器の操作パネル部の斜視図。
【図４】従来構造での図３のIV-IV線断面図。
【符号の説明】
【００１５】
１１  ベース部品
１２  外観部品
１３  外観部品
２１  溝
２２  斜面
２３  斜面
２４  溝底部
【図１】
2007182188.tif 000003
【図２】
2007182188.tif 000004
【図３】
2007182188.tif 000005
【図４】
2007182188.tif 000006